(57)【要約】      （修正有）【課題】より効率的に省電力を実現させると共に、一方では電力を抑えず高パフォーマンスな処理を実現するオペレーテイングシステム。【解決手段】放射線撮影の撮影モードが静止画撮影のみが可能である場合、省電力を優先する省電力モードでオペレーテイングシステムを動作させ、撮影モードが連続撮影を行うための動画撮影可能である場合、電源プランを高パフォーマンスモードでオペレーテイングシステムを動作を動作させる電力制御モジュールとプログラム。【選択図】図１
2013215277.tif 000002
【特許請求の範囲】
【請求項１】
オペレーティングシステム上で動作し、コンピュータに放射線撮影制御を実行させるためのプログラムであって、
放射線撮影の撮影モードを取得するモード取得モジュールと、
前記撮影モードが連続撮影を行うための撮影モードである場合には、第一の電力モードで前記オペレーティングシステムを動作させ、前記撮影モードが静止画撮影を行うための撮影モードである場合には前記第一の電力モードよりも省電力を優先する第二の電力モードで前記オペレーティングシステムを動作させる電力制御モジュールと、
有することを特徴とするプログラム。
【請求項２】
前記撮影モードを設定する設定モジュールを更に有し、
前記電力制御モジュールでは、前記撮影モードが連続撮影を行うための撮影モードが設定されることに応じて、処理能力を優先する第一の電力モードで前記オペレーティングシステムを動作させることを特徴とする請求項１に記載のプログラム。
【請求項３】
前記放射線撮影制御のためのプログラムは、
動画撮影制御のためのプログラムモジュールと、静止画撮影制御のためのプログラムモジュールとを有し、
前記電力制御モジュールは、前記動画撮影制御のためのプログラムモジュールがオペレーティングシステム上で起動されることに応じて、前記第一の電力モードでオペレーティングシステムを動作させる
ことを特徴とする請求項１または２に記載のプログラム。
【請求項４】
前記放射線撮影制御のためのプログラムは、動画及び静止画の撮影制御のためのプログラムモジュールと、静止画のみの撮影制御のためのプログラムモジュールとを有し、
前記電力制御モジュールは、前記動画及び静止画の撮影制御のためのプログラムモジュールがオペレーティングシステム上で起動させることに応じて、前記第一の電力モードでオペレーティングシステムを動作させ、前記静止画のみの撮影制御のためのプログラムモジュールがオペレーティングシステム上で起動されることに応じて、前記第二の電力モードでオペレーティングシステムを動作させる
ことを特徴とする請求項１乃至３のいずれか１項に記載のプログラム。
【請求項５】
前記電力制御モジュールにより電力モードが変更される前の電力モードを記憶部に記憶させる記憶制御モジュールと、
前記放射線撮影制御のためのプログラムの動作の終了指示を取得する指示取得モジュールと、を更に有し、
前記電力制御モジュールは、前記終了指示に応じて前記記憶された前記放射線撮影制御のためのプログラムが起動される前の電力モードで前記オペレーティングしシステムを動作させる
ことを特徴とする請求項１乃至４のいずれか１項に記載のプログラム。
【請求項６】
前記電力制御モジュールは、連続撮影を行うための撮影モードの終了に応じて、前記オペレーティングシステムを前記第二の電力モードで動作させる指示を行う
ことを特徴とする請求項１乃至５のいずれか１項に記載のプログラム。
【請求項７】
請求項１乃至６のいずれか１項に記載のプログラムと、
前記プログラムとともに動作する前記オペレーティングシステムと、
前記プログラム及びオペレーティングシステムを動作させる演算部と、
を有することを特徴とする放射線撮影制御装置。
【請求項８】
バッテリと、
前記撮影制御に応じて得られた放射線画像を表示させる表示制御手段と、
を有することを特徴とする請求項７に記載の放射線撮影制御装置。
【請求項９】
可搬型の放射線発生装置と有線または無線で接続する接続手段を更に有することを特徴とする請求項７に記載の放射線撮影制御装置。
【請求項１０】
放射線撮影の撮影モードを取得するモード取得手段と、
前記撮影モードが連続撮影を行うための撮影モードである場合には、処理能力を優先する第一の電力モードで前記オペレーティングシステムを動作させ、前記撮影モードが静止画撮影を行うための撮影モードである場合には省電力を優先する第二の電力モードで前記オペレーティングシステムを動作させる電力制御手段と、
を実行することを特徴とする放射線撮影制御装置。
【請求項１１】
放射線撮影の撮影モードを取得するモード取得手段と、
前記撮影モードが動画および静止画の撮影を行うための撮影モードである場合には、処理能力を優先する第一の電力モードで前記オペレーティングシステムを動作させ、前記撮影モードが静止画のみの撮影を行うための撮影モードである場合には省電力を優先する第二の電力モードで前記オペレーティングシステムを動作させる電力制御手段と、
を実行することを特徴とする放射線撮影制御装置。
【請求項１１】
請求項７乃至１０のいずれか１項に記載の放射線撮影制御装置と、
前記放射線撮制御装置と有線または無線で接続された放射線検出器と、
を有することを特徴とする放射線撮影装置。
【請求項１２】
請求項７乃至１０のいずれか１項に記載の放射線撮影制御装置と、
前記放射線撮影制御装置に有線または無線で接続された放射線検出器と、
前記放射線撮影制御装置または放射線発生装置の少なくともいずれかと有線または無線で接続された放射線発生装置と、
を有することを特徴とする放射線撮影システム。
【請求項１３】
放射線発生装置と、放射線撮像装置と、撮影制御部と、撮影制御部が動作するオペレーティングシステムと、オペレーティングシステムが動作するコンピュータとからなる放射線撮影システムにおいて、
前記オペレーティングシステムは、電源プラン管理部を有し、
前記撮影制御部は、撮影モード管理部と、電源プラン制御部とを有し、
前記電源プラン管理部は、省電力モードまたは高パフォーマンスモードの電源プランを管理し、
前記撮影モード管理部は、静止画撮影のみが可能か、または、静止画撮影と動画撮影の両方が可能かを管理し、
前記撮影モード管理部による管理が、静止画撮影のみが可能である場合、前記電源プラン制御部は、前記電源プラン管理部が管理する電源プランを省電力モードに設定し、
前記撮影モード管理部による管理が、静止画撮影と動画撮影の両方が可能である場合、前記電源プラン制御部は、前記電源プラン管理部が管理する電源プランを高パフォーマンスモードに設定することを特徴とする放射線撮影システム。
【請求項１４】
放射線発生装置と、放射線撮像装置と、撮影制御部と、撮影制御部が動作するオペレーティングシステムと、オペレーティングシステムが動作するコンピュータとからなる放射線撮影システムにおいて、
前記オペレーティングシステムは、電源プラン管理部を有し、
前記撮影制御部は、検査状態監視部と、電源プラン制御部とを有し、
前記電源プラン管理部は、省電力モードまたは高パフォーマンスモードの電源プランを管理し、
前記撮影制御部起動時に、前記電源プラン制御部は、前記電源プラン管理部が管理する電源プランを省電力モードに設定し、
前記検査状態監視部は、検査の開始と終了を監視し、
前記検査状態監視部により検査状態が開始と判断されると、前記電源プラン制御部は、前記電源プラン管理部が管理する電源プランを高パフォーマンスモードに設定し、
前記検査状態監視部により検査状態が終了と判断されると、前記電源プラン制御部は、前記電源プラン管理部が管理する電源プランを省電力モードに設定することを特徴とする放射線撮影システム。
【請求項１５】
放射線発生装置と、放射線撮像装置と、撮影制御部と、撮影制御部が動作するオペレーティングシステムと、オペレーティングシステムが動作するコンピュータとからなる放射線撮影システムにおいて、
前記オペレーティングシステムは、電源プラン管理部を有し、
前記撮影制御部は、撮影モード管理部と、検査状態監視部と、電源プラン制御部とを有し、
前記電源プラン管理部は、省電力モードまたは高パフォーマンスモードの電源プランを管理し、
前記撮影制御部起動時に、前記電源プラン制御部は、前記電源プラン管理部が管理する電源プランを省電力モードに設定し、
前記撮影モード管理部は、静止画撮影のみが可能か、または、静止画撮影と動画撮影の両方が可能かを管理し、
前記検査状態監視部は、検査の開始と終了を監視し、
前記検査状態監視部により検査状態が開始と判断され、且つ、前記撮影モード管理部による管理が、静止画撮影と動画撮影の両方が可能である場合のみ、前記電源プラン制御部は、前記電源プラン管理部が管理する電源プランを高パフォーマンスモードに設定し、
前記検査状態監視部により検査状態が終了と判断されると、前記電源プラン制御部は、前記電源プラン管理部が管理する電源プランを省電力モードに設定することを特徴とする放射線撮影システム。
【請求項１６】
前記撮影制御部の起動時に、前記電源プラン制御部は前記電源プラン管理部が管理している電源プランを取得し、前記撮影制御部の終了時に、前記電源プラン制御部は前記電源プラン管理部が管理している電源プランを前記撮影制御部起動時に取得した電源プランに戻すことを特徴とする請求項１３乃至１５のいずれか１項に記載の放射線撮影システム。
【請求項１７】
オペレーティングシステムを有する放射線撮影システムの制御方法であって、
放射線撮影の撮影モードを取得するステップと、
前記撮影モードが連続撮影を行うための撮影モードである場合には、処理能力を優先する第一の電力モードで前記オペレーティングシステムを動作させ、前記撮影モードが静止画撮影を行うための撮影モードである場合には省電力を優先する第二の電力モードで前記オペレーティングシステムを動作させるステップと、
を有することを特徴とする制御方法。
【請求項１８】
オペレーティングシステムを有する放射線撮影システムの制御方法であって、
放射線撮影の撮影モードを取得するステップと、
前記撮影モードが動画および静止画の撮影を行うための撮影モードである場合には、処理能力を優先する第一の電力モードで前記オペレーティングシステムを動作させ、前記撮影モードが静止画のみの撮影を行うための撮影モードである場合には省電力を優先する第二の電力モードで前記オペレーティングシステムを動作させるステップと、
を有することを特徴とする制御方法。
【発明の詳細な説明】
【技術分野】
【０００１】
本発明は、放射線の照射により被写体の放射線画像を得る放射線撮影システムに関するものである。
【背景技術】
【０００２】
近年、放射線撮影システムは様々な分野で利用されており、特に医療分野においては診断のための重要な手段の一つとなっている。放射線撮影システムとは、放射線発生装置によって発せられた放射線が放射線管球から被写体へ照射され、被写体を透過した放射線を放射線撮像装置によって撮像することで放射線画像を取得し、取得した放射線画像に対して画像処理などを施しモニタへ表示することで診断に役立てるシステムである。この放射線撮影システムには、一般撮影または単純撮影と呼ばれる放射線の静止画撮影のみが可能なシステムと、静止画撮影に加え、胃のバリウム検査などで利用される透視像（動画）を取得可能な静止画撮影と動画撮影の両方が可能なシステムとがあり、医療分野において頻繁に利用されている。また、薄型で軽量な可搬型の放射線撮像装置が開発されたことにより、放射線撮影システムは回診の分野にも適用されている。但し、回診の分野で放射線撮影システムを利用する場合、放射線撮影システムへの電力供給は一般的にバッテリによって行われることが多い。特許文献１では、移動可能な放射線撮影システムが使用する電力消費を抑える技術が開示されている。
【先行技術文献】
【特許文献】
【０００３】
【特許文献１】特開２００６−１５８５０８号公報
【発明の概要】
【発明が解決しようとする課題】
【０００４】
上述したように、特に回診分野においては放射線撮影システムの電力消費を抑え、省電力で運用することが望ましい。一方、上述した静止画撮影と動画撮影の両方が可能なシステムでは、動画像をリアルタイムで処理しモニタへ表示することが必須な要望であるため、省電力で電力を制限してしまうと、その必須要望が満たせなくなる可能性があり、電力を消費したとしても高パフォーマンスで処理することが望ましい。すなわち、静止画撮影のみが可能なシステムと、静止画撮影と動画撮影の両方が可能なシステムとによって、電力の供給方法を変更し、より効率的に省電力を実現させると共に、一方では電力を抑えず高パフォーマンスな処理を実現しなければならなかった。
【課題を解決するための手段】
【０００５】
本発明は上記の課題を解決するために、放射線発生装置と放射線撮像装置と撮影制御部と撮影制御部が動作するオペレーティングシステムとオペレーティングシステムが動作するコンピュータとからなる放射線撮影システムにおいて、オペレーティングシステムは電源プラン管理部を有し、撮影制御部は撮影モード管理部と電源プラン制御部とを有し、電源プラン管理部は省電力モードまたは高パフォーマンスモードの電源プランを管理し、撮影モード管理部は静止画撮影のみが可能か、または、静止画撮影と動画撮影の両方が可能かを管理し、撮影モード管理部による管理が静止画撮影のみが可能である場合、電源プラン制御部は電源プラン管理部が管理する電源プランを省電力モードに設定し、撮影モード管理部による管理が静止画撮影と動画撮影の両方が可能である場合、電源プラン制御部は電源プラン管理部が管理する電源プランを高パフォーマンスモードに設定することを特徴とする。
【発明の効果】
【０００６】
本発明による放射線撮影システムを利用することで、より効率的に省電力を実現させると共に、一方で高パフォーマンスを要求される処理を実施する場合は高パフォーマンスで動作するように制御することで、省電力と高パフォーマンスの処理を両立することが可能となる。
【図面の簡単な説明】
【０００７】
【図１】実施形態に係る放射線撮影システムの構成図である。
【図２】放射線撮影システムの構成の詳細を示す図である。
【図３】システムの処理の流れを示すフローチャートである。
【図４】その他の実施形態に係る処理の流れフローチャートである。
【図５】その他の実施形態に係る放射線撮影システムの構成図である。
【図６】その他の実施形態に係る処理の流れを示すフローチャートである。
【図７】その他の実施形態に係る放射線撮影システムの構成図である。
【図８】その他の実施形態に係る処理の流れを示すフローチャートである。
【図９】電源プラン設定画面の例を示す図である。
【発明を実施するための形態】
【０００８】
以下、本発明に関する実施形態について図面を参照しながら説明する。
【実施例１】
【０００９】
図１に基づき実施形態にかかる放射線撮影システムの構成を説明する。１０１は放射線を電気信号に変換し画像データとして撮像するための放射線撮像装置（ＦＰＤ：Ｆｌａｔ  Ｐａｎｅｌ  Ｄｅｔｅｃｔｏｒ）、１０２は放射線を照射するためのＸ線管、１０３は放射線を発生するための発生装置制御部、１０４は被写体、１０５が放射線撮影制御装置である。放射線撮像装置１０１と放射線撮影制御装置１０５により放射線撮影装置が構成される。Ｘ線管１０２と発生装置制御部１０３により放射線発生装置が構成される。
【００１０】
また、１０５は放射線撮影制御装置、１０６はオペレーティングシステムであり、一般的にはＷｉｎｄｏｗｓやＬｉｎｕｘなどが該当する。さらに、１０７はオペレーティングシステム１０６上で動作する撮影制御部、具体的には、放射線撮像装置１０１および発生装置制御部１０３と連携し、Ｘ線管１０２から放射線を照射することで被写体１０４を透過した放射線画像を撮影し、撮影された放射線画像を放射線撮像装置１０１から取得し、保存や画像処理や表示などを実施するソフトウェアである。なお、本発明における放射線撮影システムでは、一般撮影または単純撮影と呼ばれる放射線の静止画撮影のみが可能なシステムと、静止画撮影に加え、胃のバリウム検査などで利用される透視像（動画）を取得可能な静止画撮影と動画撮影の両方が可能なシステムとがあり、そのシステム構成により、撮影制御部１０７は静止画撮影のみが可能なモードと、静止画撮影と動画撮影の両方が可能なモードに分かれる。
【００１１】
また、１０８はオペレーティングシステム１０６が管理する電源プラン管理部、１０９は電源プラン管理部１０８によって管理されている電源プランの設定を制御する電源プラン制御部、１１０は撮影制御部１０７が静止画撮影のみが可能なモードか、静止画撮影と動画撮影の両方が可能なモードかの撮影モードを管理するための撮影モード管理部である。
【００１２】
ここで、電源プラン管理部１０８について具体的に説明する。図９は電源プラン管理部１０８によって管理される電源プランを設定する画面の一例である。通常、操作者はオペレーティングシステム１０６を介し、図９の設定画面で電源プランを設定可能である。一般的に設定可能な電源プランとしては、省電力、高パフォーマンス、バランスなどがある。省電力とはオペレーティングシステム１０６が動作している放射線撮影制御装置１０５のパフォーマンスを可能な限り低下させ、ＣＰＵ（Ｃｅｎｔｒａｌ  Ｐｒｏｃｅｓｓｉｎｇ  Ｕｎｉｔ）の使用率を制限することで電力の消費を抑えるモードを意味する。また、高パフォーマンスとは電力の消費が増える代わりにパフォーマンスが優先されるモードを意味する。また、バランスとは自動的にパフォーマンスと電力消費のバランスを取るモードであるが、オペレーティングシステム１０６が動作しているコンピュータ環境によってはサポート対象外となる可能性があり、また、自動的にバランスを取ったとしても高パフォーマンスに比べるとパフォーマンスは低下する。
【００１３】
なお、この電源プラン管理部１０８で管理される電源プランは、オペレーティングシステム１０６を介し、図９の設定画面で変更することもできるが、本発明では設定画面を操作することなしに電源プラン制御部１０９が制御可能である。その制御の流れを図２のフローチャートを用いて説明する。
【００１４】
図２に基づいて放射線撮影システムの構成の詳細を説明する。放射線撮影制御装置１０５は記憶部であるＨＤＤ２００と、ＲＯＭ２０９と、ＲＡＭ２１０と、ＣＰＵ（Ｃｅｎｔｒａｌ  Ｐｒｏｃｅｓｓｉｎｇ  Ｕｎｉｔ；中央演算部）２１１と、有線Ｉ／Ｆ（Ｉｎｔｅｒｆａｃｅ）を有し、ＢＵＳ２１４を介して接続されている。また、放射線撮影制御装置１０５には、ポインタデバイス２１５、表示部として機能するディスプレイ２１６、キーボード２１７が接続されている。さらにバッテリ２１８を備えることで、放射線撮影制御装置１０５の携帯性を向上させることができるため有用である。ポインタデバイス２１５とキーボード２１７により操作部が構成される。
【００１５】
有線Ｉ／Ｆ２１３によりＦＰＤ１０１の有線接続部と、発生装置制御部１０３の優先接続部と接続することで、撮影条件、設定値、撮影時の同期通信、画像データをやり取りすることが可能である。
【００１６】
更に、無線Ｉ／Ｆ（Ｉｎｔｅｒｆａｃｅ）２１２を有することで配線に煩わされることなく、特に撮影室外での回診撮影に便利である。図１のように、無線Ｉ／Ｆ２１２を介してリンク２１２３によりＦＰＤ１０１の無線接続部と放射線撮影制御装置１０５が接続し、リンク２１２２により発生装置制御部１０３の無線接続部と放射線撮影制御装置１０５を接続することができる。なお、ＦＰＤ１０１と発生装置制御部１０３とを直接接続することとしてもよい。
【００１７】
更に、放射線発生装置には移動部２２１を有し、放射線発生装置を移動させることができる。このような可搬型の放射線発生装置と、無線通信可能なＦＰＤ１０１と、携帯性のある放射線撮影制御装置１０５とにより、回診撮影を効率よく行うことができる。
【００１８】
ＨＤＤ２００には図１の各部として機能し、かつ後述する図３、４、６及び８に示す処理を実現するためのプログラム２２０が格納されている。かかるプログラムはＲＯＭ２０９に格納されていてもよい。このプログラム２２０は、オペレーティングシステム上で動作する放射線撮影制御のためのプログラムである。プログラム２２０はＲＡＭ２１０に展開され、ＣＰＵ２１１によりプログラム内の指示または命令を順次実行することで、放射線撮影制御装置１０５内の各ユニットを制御する。なお、プログラム２２０は同じくＣＰＵ２１１条で動作する適宜オペレーティングシステム１０６の機能も利用する。
【００１９】
プログラム２２０には以下説明するプログラムモジュールが含まれる。モード取得モジュール１１０により撮影モード管理部１１０の機能が実現される。電力制御モジュール２０２により電源プラン制御部１０９の機能が実現される。
【００２０】
モード取得モジュール２０１は放射線撮影の撮影モードを取得する。ここで撮影モードとしては、複数のフレーム画像を連続して撮影する連続撮影モード（第一の撮影モード）と、単体の静止画を指示に応じて１枚ずつ撮影する静止画撮影モード（第二の撮影モード）とがあり、いずれかを実行する撮影モードとして取得する。実行対象の撮影モードは、モード設定モジュール２０５により設定される。実行対象の撮影モードはユーザの操作を受け付ける操作部からの入力に基づいて選択される。
【００２１】
電力制御モジュール２０２は、撮影モードに応じてオペレーティングシステム１０６の電力モードを制御する。ここで電力モードとは、オペレーティングシステム１０６に対して処理能力を優先させるか、省電力を優先させるかといった、電力とパフォーマンスに関する設定を指す。電源制御モジュール２０２はオペレーティングシステム１０６の電源プラン管理モジュールに対して、電力モードの変更を指示する。電源プラン管理モジュールは、図１の電源プラン管理部１０８の機能を実現するためのモジュールである。
【００２２】
オペレーティングシステム１０６はＣＰＵ２０１の動作をつかさどっているため、オペレーティングシステム１０６の電力モードを制御することで放射線撮影制御装置１０５を処理能力優先または省電力優先で動作させる制御を行うことができる。特に、バッテリ２１８を有し、電力に限りがあるシステムにおいては、電力制御は重要である。そこで電力制御モジュール２０２は、電力を多く使ったり、パフォーマンスの向上が優先されたりする撮影モードでは、処理能力を優先させる第一の電力モードで動作させる。例えば、連続して撮影が必要な動画撮影、複数の画像に分けて大きな被写体を撮影する長尺撮影、トモシンセシス撮影やＣＴ撮影などの連続して複数の画像を撮影する連続撮影モードでは、処理能力を優先させたモードとすることで、撮影を適切に行える。
【００２３】
一方で、撮影指示に応じて１枚ずつまたは少数の画像を適宜撮影していくような撮影モードでは、放射線撮影制御装置１０５の処理能力はそれほど要求されないため、電力制御モジュール２０２は省電力優先でオペレーティングシステム１０６を動作させる。これにより、特にバッテリ２１８駆動の場合には電力を効率よく利用し、長時間の回診撮影がバッテリ交換なく行え、撮影効率や作業効率を向上させることができる。
【００２４】
なお、連続撮影であっても、長尺撮影のように動画と比べてそれほど多くの撮影枚数とならない場合には、省電力モードで動作させることで電力を効率よく用いることができる。この場合は、動画撮影の場合、または動画と静止画の両方を撮影するモードで高パフォーマンスモードとする。
【００２５】
電力制御モジュール２０２は、撮影モードが連続撮影を行うための撮影モードが設定されることに応じて、処理能力を優先する第一の電力モードでオペレーティングシステムを動作させる。これにより、ユーザが電力モードを設定する手間を省き、撮影光率を向上させることができる。
【００２６】
プログラム２２０は動画撮影制御モジュール２０７と静止画撮影制御モジュール２０８を別々のモジュールとして有することで、それぞれの撮影制御をさせることができる。この場合、電力制御モジュール２０２は、動画撮影制御のためのプログラムモジュールがオペレーティングシステム上で起動されることに応じて、高パフォーマンスモードでオペレーティングシステムを動作させる。
【００２７】
ここで動画撮影制御モジュール２０７は、動画及び静止画の撮影制御が可能としておくことができる。これは、動画撮影中に動画のフレーム画像よりも高精細な静止画を撮影するという放射線撮影の方式が多く用いられていることに対応するものである。この場合、電力制御モジュール２０２は、動画及び静止画の撮影制御のためのプログラムモジュールがオペレーティングシステム上で起動させることに応じて、高パフォーマンスモードでオペレーティングシステムを動作させ、静止画のみの撮影制御のためのプログラムモジュールがオペレーティングシステム上で起動されることに応じて、省電力を優先する電力モードでオペレーティングシステムを動作させることとする。
【００２８】
プログラム２２０には、電力制御モジュール２０２により電力モードが変更される前の電力モードをＨＤＤ２００に記憶させる記憶制御モジュール２０３を含めることができる。この記憶制御モジュール２０３により、変更前の電力モードが記憶されているため、撮影モードが動画撮影可能なモードから静止画撮影モードとなった場合には、元の電力モードに遷移させる。また、放射線撮影制御のためのプログラム２２０の動作の終了指示を取得する指示取得モジュール２０６を更に含めることができる。この指示取得モジュール２０６によりプログラム２２０の動作が終了の指示を検出した場合に、電力制御モジュール２０２により記憶された放射線撮影制御のためのプログラムが起動される前の電力モードでオペレーティングしシステム１０６を動作させる。このようにすることで、撮影に携わる者の作業を減らすことができる。
【００２９】
更に電力制御モジュール２０２は、連続撮影を行うための撮影モードの終了に応じて、オペレーティングシステム１０６を省電力モードで動作させる指示を行うことで、放射線撮影が終了したあとも高パフォーマンスモードで動作することによる電力の無駄な消費を低減させることができる。
【００３０】
その他、表示制御モジュール２０４は表示部として機能する２１６に対し、撮影制御に応じて得られた放射線画像を表示させる。これにより、可搬型の放射線撮影制御装置１０５で放射線画像を適宜確認することができる。
【００３１】
図３のＳ３０１で撮影制御部１０７が起動されると、撮影制御部１０７は撮影モード管理部１１０に撮影モードを判別するように指示を出し、Ｓ３０２で撮影モード管理部１１０が撮影制御部１０７の撮影モードを判別する。具体的には、上述した静止画撮影のみが可能であるモードか、静止画撮影と動画撮影の両方が可能であるモードかを判別する。Ｓ３０２で静止画撮影と動画撮影の両方が可能であるモードであると判別された場合はＳ３０３に進み、静止画撮影のみが可能であるモードと判別された場合はＳ３０４に進む。
【００３２】
Ｓ３０３ではオペレーティングシステム１０６において電源プラン管理部１０８が管理している電源プランが電源プラン制御部１０９によって高パフォーマンスに設定される。一方、Ｓ３０４ではオペレーティングシステム１０６において電源プラン管理部１０８が管理している電源プランが電源プラン制御部１０９によって省電力に設定される。これらの設定がなされることで、高パフォーマンスを要求される静止画撮影と動画撮影の両方が可能なシステムでは高パフォーマンスモードで放射線撮影制御装置１０５が動作し、高パフォーマンスが必要なく省電力を要求される静止画撮影のみが可能なシステムでは省電力モードで放射線撮影制御装置１０５が動作することになる。
【実施例２】
【００３３】
図１のシステム構成における実施例２の処理の流れを示すフローチャートである。
【００３４】
図４のＳ４０１で撮影制御部１０７が起動されると、撮影制御部１０７は電源プラン制御部１０９に電源プラン管理部１０８で管理されている現在の電源プランを取得するように指示を出し、Ｓ４０２で電源プラン制御部１０９はその指示に基づき、電源プラン管理部１０８で管理されている現在の電源プランを取得する。また、実施例１と同様に撮影制御部１０７は撮影モード管理部１１０に撮影モードを判別するように指示を出し、Ｓ４０３で撮影モード管理部１１０が撮影制御部１０７の撮影モードを判別する。具体的には、上述した静止画撮影のみが可能であるモードか、静止画撮影と動画撮影の両方が可能であるモードかを判別する。Ｓ４０３で静止画撮影と動画撮影の両方が可能であるモードであると判別された場合はＳ４０４に進み、静止画撮影のみが可能であるモードと判別された場合はＳ４０５に進む。なお、Ｓ４０４とＳ４０５における処理は実施例１と同様であるため、ここでの説明は省略する。
【００３５】
Ｓ４０６で撮影制御部１０７の終了が指示されると、撮影制御部１０７は電源プラン制御部１０９に対して、電源プラン管理部１０８で管理される電源プランをＳ４０２で取得した電源プランへ戻すように指示を出す。電源プラン制御部１０９はその指示に基づき、電源プラン管理部１０８で管理される電源プランをＳ４０２で取得した電源プランへ戻すことで、撮影制御部１０７が起動する前の状態へ電源プランを戻すことが可能となる。
【実施例３】
【００３６】
図５は、本発明の放射線撮影システムにおいて、電源プランを制御する実施例３のシステム構成図であり、図６は、図５のシステム構成における処理の流れを示すフローチャートである。なお、図５において１０１から１０９までは実施例１と同様であるため、各部の説明は省略する。
【００３７】
５０１は検査状態監視部であり、撮影制御部１０７の検査状態を監視する。具体的には、撮影制御部１０７の検査開始と検査終了を監視し、その検査状態に応じて電源プラン制御部１０９に電源プランの制御を指示する。検査状態監視部５０１の機能は、図２に示す表示制御モジュール２０４により実現される。表示制御モジュール２０４により表示される検査開始ボタンの押下に応じて検査開始が検出される。表示制御モジュール２０４により表示される検査終了ボタンの押下に応じて検査終了が検出されることとなる。
【００３８】
ここで、放射線撮影を実施する際の検査フローの一例について説明する。被写体１０４（患者）の放射線撮影を実施する場合、まず最初に放射線撮影技師により被写体１０４の患者名などの患者情報が入力され、患者情報が入力された後、検査が開始される。検査の開始指示は例えば、撮影制御部１０７の画面上に検査開始ボタンがあり、そのボタンを押下することで、検査が開始される。検査開始後、放射線技師は被写体１０４を放射線撮像装置１０１に整体させ、発生装置制御部１０３を操作することでＸ線管１０２から放射線を被写体１０４へ照射し、被写体１０４の撮影を実施する。被写体１０４の撮影が終了すると、放射線技師は検査を終了する。検査終了の指示は例えば、撮影制御部１０７の画面上に検査終了ボタンがあり、そのボタンを押下することで、検査が終了される。このように、放射線撮影を実施する場合は、検査開始と検査終了という検査状態が存在する。そして本発明では、この検査状態を検査状態監視部５０１が監視をしている。
【００３９】
なお、一般的に電源プランの高パフォーマンスモードが要求されるのは検査開始から検査終了までの間、すなわち、被写体１０４を撮影する間であり、患者情報を入力している時などは高パフォーマンスを必要とせず、省電力モードにすることで電力消費を抑えることが望ましい。このように必要最小限に電源プランを高パフォーマンスモードに設定することにより放射線撮影制御装置１０５の電力消費を抑え、特に回診車などのバッテリ駆動で電力を供給するシステムではバッテリを長持ちさせることが可能となる。
【００４０】
それでは、検査状態監視部５０１の指示による電源プランの制御の流れを図７のフローチャートを用いて説明する。
【００４１】
図６のＳ６０１で撮影制御部１０７が起動されると、撮影制御部１０７は電源プラン制御部１０９に電源プラン管理部１０８で管理されている現在の電源プランを取得するように指示を出す。Ｓ６０２で電源プラン制御部１０９はその指示に基づき、電源プラン管理部１０８で管理されている現在の電源プランを取得すると共に、Ｓ６０３で電源プラン管理部１０８で管理されている電源プランを省電力モードへ設定する。
【００４２】
次に、Ｓ６０４で検査が開始されると、検査状態監視部５０１が検査開始を検知し、電源プラン制御部１０９へ検査が開始されたことを通知する。電源プラン制御部１０９は検査開始の通知を受けるとＳ６０５で電源プラン管理部１０８で管理されている電源プランを高パフォーマンスモードへ設定する。そして、Ｓ６０６で検査が終了すると、検査状態監視部５０１が検査終了を検知し、電源プラン制御部１０９へ検査が終了されたことを通知する。電源プラン制御部１０９は検査終了の通知を受けるとＳ６０７で電源プラン管理部１０８で管理されている電源プランを再び省電力モードへ設定する。さらに、実施例２と同様にＳ６０８で撮影制御部１０７の終了が指示されると、撮影制御部１０７は電源プラン制御部１０９に対して、電源プラン管理部１０８で管理される電源プランをＳ６０２で取得した電源プランへ戻すように指示を出す。電源プラン制御部１０９はその指示に基づき、電源プラン管理部１０８で管理される電源プランをＳ６０２で取得した電源プランへ戻すことで、撮影制御部１０７が起動する前の状態へ電源プランを戻すことが可能となる。
【００４３】
このように、検査状態監視部５０１の指示による電源プランの制御を実現することで、高パフォーマンスを必要とする検査開始から検査終了までの間だけ、高パフォーマンスで動作し、それ以外の高パフォーマンスを必要としない状態では、省電力モードで動作することで、放射線撮影制御装置１０５の電力消費を必要最小限に抑えることが可能となる。
【実施例４】
【００４４】
図７は、本発明の放射線撮影システムにおいて、電源プランを制御する実施例４のシステム構成図であり、図８は、図７のシステム構成における処理の流れを示すフローチャートである。なお、図７において１０１から１１０までは実施例１と同様であり、５０１は実施例３と同様であるため、各部の説明は省略する。また、図８においてもＳ８０５以外は実施例３における処理と同様であるため、説明は省略する。
【００４５】
実施例４は、実施例２と実施例３の複合である。すなわち、Ｓ８０４で検査が開始されると、検査状態監視部５０１が検査開始を検知し、撮影モード管理部１１０へ検査が開始されたことを通知する。次に、Ｓ８０５で撮影モード管理部１１０は撮影モードを判別し、静止画撮影と動画撮影の両方が可能であるモードであると判別された場合はＳ８０６に進み、Ｓ８０６では電源プラン制御部１０９により電源プランが高パフォーマンスモードへ設定される。静止画撮影のみが可能であるモードと判別された場合は電源プランを変更せずＳ８０７に進む。これにより、高パフォーマンスを必要とする静止画撮影と動画撮影の両方を撮影する場合のみ高パフォーマンス設定にすることも可能となる。
【符号の説明】
【００４６】
１０１  放射線撮像装置（ＦＰＤ）
１０２  Ｘ線管
１０３  発生装置制御部
１０４  被写体
１０５  放射線撮影制御装置
１０６  オペレーティングシステム
１０７  撮影制御部
１０８  電源プラン管理部
１０９  電源プラン制御部
１１０  撮影モード管理部
【図１】
2013215277.tif 000003
【図２】
2013215277.tif 000004
【図３】
2013215277.tif 000005
【図４】
2013215277.tif 000006
【図５】
2013215277.tif 000007
【図６】
2013215277.tif 000008
【図７】
2013215277.tif 000009
【図８】
2013215277.tif 000010
【図９】
2013215277.tif 000011
【手続補正書】
【提出日】平成24年4月11日(2012.4.11)
【手続補正１】
【補正対象書類名】特許請求の範囲
【補正対象項目名】全文
【補正方法】変更
【補正の内容】
【特許請求の範囲】
【請求項１】
オペレーティングシステム上で動作し、コンピュータに放射線撮影制御を実行させるためのプログラムであって、
放射線撮影の撮影モードを取得するモード取得モジュールと、
前記撮影モードが連続撮影を行うための撮影モードである場合には、第一の電力モードで前記オペレーティングシステムを動作させ、前記撮影モードが静止画撮影を行うための撮影モードである場合には前記第一の電力モードよりも省電力を優先する第二の電力モードで前記オペレーティングシステムを動作させる電力制御モジュールと、
有することを特徴とするプログラム。
【請求項２】
前記撮影モードを設定する設定モジュールを更に有し、
前記電力制御モジュールでは、前記撮影モードが連続撮影を行うための撮影モードが設定されることに応じて、処理能力を優先する第一の電力モードで前記オペレーティングシステムを動作させることを特徴とする請求項１に記載のプログラム。
【請求項３】
前記放射線撮影制御のためのプログラムは、
動画撮影制御のためのプログラムモジュールと、静止画撮影制御のためのプログラムモジュールとを有し、
前記電力制御モジュールは、前記動画撮影制御のためのプログラムモジュールがオペレーティングシステム上で起動されることに応じて、前記第一の電力モードでオペレーティングシステムを動作させることを特徴とする請求項１または２に記載のプログラム。
【請求項４】
前記放射線撮影制御のためのプログラムは、動画及び静止画の撮影制御のためのプログラムモジュールと、静止画のみの撮影制御のためのプログラムモジュールとを有し、
前記電力制御モジュールは、前記動画及び静止画の撮影制御のためのプログラムモジュールがオペレーティングシステム上で起動させることに応じて、前記第一の電力モードでオペレーティングシステムを動作させ、前記静止画のみの撮影制御のためのプログラムモジュールがオペレーティングシステム上で起動されることに応じて、前記第二の電力モードでオペレーティングシステムを動作させることを特徴とする請求項１乃至３のいずれか１項に記載のプログラム。
【請求項５】
前記電力制御モジュールにより電力モードが変更される前の電力モードを記憶部に記憶させる記憶制御モジュールと、
前記放射線撮影制御のためのプログラムの動作の終了指示を取得する指示取得モジュールと、を更に有し、
前記電力制御モジュールは、前記終了指示に応じて前記記憶された前記放射線撮影制御のためのプログラムが起動される前の電力モードで前記オペレーティングしシステムを動作させることを特徴とする請求項１乃至４のいずれか１項に記載のプログラム。
【請求項６】
前記電力制御モジュールは、連続撮影を行うための撮影モードの終了に応じて、前記オペレーティングシステムを前記第二の電力モードで動作させる指示を行うことを特徴とする請求項１乃至５のいずれか１項に記載のプログラム。
【請求項７】
請求項１乃至６のいずれか１項に記載のプログラムと、
前記プログラムとともに動作する前記オペレーティングシステムと、
前記プログラム及びオペレーティングシステムを動作させる演算部と、
を有することを特徴とする放射線撮影制御装置。
【請求項８】
バッテリと、
前記撮影制御に応じて得られた放射線画像を表示させる表示制御手段と、
を有することを特徴とする請求項７に記載の放射線撮影制御装置。
【請求項９】
可搬型の放射線発生装置と有線または無線で接続する接続手段を更に有することを特徴とする請求項７に記載の放射線撮影制御装置。
【請求項１０】
放射線撮影の撮影モードを取得するモード取得手段と、
前記撮影モードが連続撮影を行うための撮影モードである場合には、処理能力を優先する第一の電力モードで前記オペレーティングシステムを動作させ、前記撮影モードが静止画撮影を行うための撮影モードである場合には省電力を優先する第二の電力モードで前記オペレーティングシステムを動作させる電力制御手段と、
を有することを特徴とする放射線撮影制御装置。
【請求項１１】
放射線撮影の撮影モードを取得するモード取得手段と、
前記撮影モードが動画および静止画の撮影を行うための撮影モードである場合には、処理能力を優先する第一の電力モードで前記オペレーティングシステムを動作させ、前記撮影モードが静止画のみの撮影を行うための撮影モードである場合には省電力を優先する第二の電力モードで前記オペレーティングシステムを動作させる電力制御手段と、
を有することを特徴とする放射線撮影制御装置。
【請求項１２】
請求項７乃至１１のいずれか１項に記載の放射線撮影制御装置と、
前記放射線撮制御装置と有線または無線で接続された放射線検出器と、
を有することを特徴とする放射線撮影装置。
【請求項１３】
請求項７乃至１１のいずれか１項に記載の放射線撮影制御装置と、
前記放射線撮影制御装置に有線または無線で接続された放射線検出器と、
前記放射線撮影制御装置または放射線発生装置の少なくともいずれかと有線または無線で接続された放射線発生装置と、
を有することを特徴とする放射線撮影システム。
【請求項１４】
放射線発生装置と、放射線撮像装置と、撮影制御部と、撮影制御部が動作するオペレーティングシステムと、オペレーティングシステムが動作するコンピュータとからなる放射線撮影システムにおいて、
前記オペレーティングシステムは、電源プラン管理部を有し、
前記撮影制御部は、撮影モード管理部と、電源プラン制御部とを有し、
前記電源プラン管理部は、省電力モードまたは高パフォーマンスモードの電源プランを管理し、
前記撮影モード管理部は、静止画撮影のみが可能か、または、静止画撮影と動画撮影の両方が可能かを管理し、
前記撮影モード管理部による管理が、静止画撮影のみが可能である場合、前記電源プラン制御部は、前記電源プラン管理部が管理する電源プランを省電力モードに設定し、
前記撮影モード管理部による管理が、静止画撮影と動画撮影の両方が可能である場合、前記電源プラン制御部は、前記電源プラン管理部が管理する電源プランを高パフォーマンスモードに設定することを特徴とする放射線撮影システム。
【請求項１５】
放射線発生装置と、放射線撮像装置と、撮影制御部と、撮影制御部が動作するオペレーティングシステムと、オペレーティングシステムが動作するコンピュータとからなる放射線撮影システムにおいて、
前記オペレーティングシステムは、電源プラン管理部を有し、
前記撮影制御部は、検査状態監視部と、電源プラン制御部とを有し、
前記電源プラン管理部は、省電力モードまたは高パフォーマンスモードの電源プランを管理し、
前記撮影制御部起動時に、前記電源プラン制御部は、前記電源プラン管理部が管理する電源プランを省電力モードに設定し、
前記検査状態監視部は、検査の開始と終了を監視し、
前記検査状態監視部により検査状態が開始と判断されると、前記電源プラン制御部は、前記電源プラン管理部が管理する電源プランを高パフォーマンスモードに設定し、
前記検査状態監視部により検査状態が終了と判断されると、前記電源プラン制御部は、前記電源プラン管理部が管理する電源プランを省電力モードに設定することを特徴とする放射線撮影システム。
【請求項１６】
放射線発生装置と、放射線撮像装置と、撮影制御部と、撮影制御部が動作するオペレーティングシステムと、オペレーティングシステムが動作するコンピュータとからなる放射線撮影システムにおいて、
前記オペレーティングシステムは、電源プラン管理部を有し、
前記撮影制御部は、撮影モード管理部と、検査状態監視部と、電源プラン制御部とを有し、
前記電源プラン管理部は、省電力モードまたは高パフォーマンスモードの電源プランを管理し、
前記撮影制御部起動時に、前記電源プラン制御部は、前記電源プラン管理部が管理する電源プランを省電力モードに設定し、
前記撮影モード管理部は、静止画撮影のみが可能か、または、静止画撮影と動画撮影の両方が可能かを管理し、
前記検査状態監視部は、検査の開始と終了を監視し、
前記検査状態監視部により検査状態が開始と判断され、且つ、前記撮影モード管理部による管理が、静止画撮影と動画撮影の両方が可能である場合のみ、前記電源プラン制御部は、前記電源プラン管理部が管理する電源プランを高パフォーマンスモードに設定し、
前記検査状態監視部により検査状態が終了と判断されると、前記電源プラン制御部は、前記電源プラン管理部が管理する電源プランを省電力モードに設定することを特徴とする放射線撮影システム。
【請求項１７】
前記撮影制御部の起動時に、前記電源プラン制御部は前記電源プラン管理部が管理している電源プランを取得し、前記撮影制御部の終了時に、前記電源プラン制御部は前記電源プラン管理部が管理している電源プランを前記撮影制御部起動時に取得した電源プランに戻すことを特徴とする請求項１４乃至１６のいずれか１項に記載の放射線撮影システム。
【請求項１８】
オペレーティングシステムを有する放射線撮影システムの制御方法であって、
放射線撮影の撮影モードを取得するステップと、
前記撮影モードが連続撮影を行うための撮影モードである場合には、処理能力を優先する第一の電力モードで前記オペレーティングシステムを動作させ、前記撮影モードが静止画撮影を行うための撮影モードである場合には省電力を優先する第二の電力モードで前記オペレーティングシステムを動作させるステップと、
を有することを特徴とする制御方法。
【請求項１９】
オペレーティングシステムを有する放射線撮影システムの制御方法であって、
放射線撮影の撮影モードを取得するステップと、
前記撮影モードが動画および静止画の撮影を行うための撮影モードである場合には、処理能力を優先する第一の電力モードで前記オペレーティングシステムを動作させ、前記撮影モードが静止画のみの撮影を行うための撮影モードである場合には省電力を優先する第二の電力モードで前記オペレーティングシステムを動作させるステップと、
を有することを特徴とする制御方法。